(57)【特許請求の範囲】
【請求項１】
音符データに基づいて鍵盤の押鍵すべき鍵を指示するようにした電子鍵盤楽器において、
前記鍵盤の鍵に対して該鍵に対応する数字譜または音名を照光投影表示することにより前記押鍵すべき鍵を指示するようにしたことを特徴とする電子鍵盤楽器。
【請求項２】
半透光性の複数の鍵と、
該鍵下に配設され該鍵の裏面に該鍵に対応する数字譜または音名のパターンを投影する投影手段と、
を備えたことを特徴とする請求項１記載の電子鍵盤楽器。
【請求項３】
前記投影手段が、前記数字譜または音名のパターンを透過部および遮光部で形成したマスク部と、該マスク部を通して前記鍵の裏面に投光する投光部とを備えることを特徴とする請求項２記載の電子鍵盤楽器。
【請求項４】
前記複数の鍵にそれぞれ対応する前記各マスク部が、鍵の並び方向に移動可能に配設されていることを特徴とする請求項３記載の電子鍵盤楽器。
【発明の詳細な説明】
【０００１】
【発明の属する技術分野】
本発明は、音符データに基づいて鍵盤の押鍵すべき鍵を指示するようにした電子鍵盤楽器に関する。
【０００２】
【従来の技術】
従来、電子鍵盤楽器において、鍵盤の鍵に対応する表示を行って演奏者の鍵盤演奏を支援する押鍵ガイド機能の技術が、例えば、実開昭５７−１９７０９５号あるいは実開昭６０−３８９０号に開示されている。実開昭５７−１９７０９５号の電子楽器は、鍵盤の支点側に押鍵位置表示素子として各鍵に対応するＬＥＤを配設し、音符データを読み出して、押鍵すべき鍵の位置のＬＥＤを点灯することで押鍵ガイドを行うようにしている。また、実開昭６０−３８９０号の電子楽器は、鍵盤内に文字表示器を備え、楽譜データを読み出して、押鍵すべき鍵の位置の文字表示器で押鍵すべき指を指定する数字（指番号）を表示することで、運指ガイドをも含めた押鍵ガイドを行うようにしている。
【０００３】
【発明が解決しようとする課題】
上記のような押鍵ガイド機能はそもそも初心者向けであり、指示された鍵を押鍵することで演奏を行えるが、演奏と楽譜すなわち鍵と音符の対応関係が把握しにくく、学習効果を高めるという観点からすると不十分である。また、年輩に好まれる大正琴の楽譜には数字譜が用いられるが、このような数字譜になれたユーザが電子鍵盤楽器を楽しむために、数字譜と鍵盤との関係が演奏時にリアルタイムに把握できると好ましい。
【０００４】
本発明は、押鍵ガイド機能を備えた電子鍵盤楽器において、鍵盤の鍵と楽譜との関係を把握しやすくすることで、鍵盤演奏時により弾き易く、学習効果を高めるようにすることを課題とする。
【０００５】
【課題を解決するための手段】
本発明の請求項１の電子鍵盤楽器は、音符データに基づいて鍵盤の押鍵すべき鍵を指示するようにした電子鍵盤楽器において、前記鍵盤の鍵に対して該鍵に対応する数字譜または音名を照光投影表示することにより前記押鍵すべき鍵を指示するようにしたことを特徴とする。
【０００６】
上記のように構成された請求項１の電子鍵盤楽器によれば、数字譜または音名が照光投影表示された鍵が押鍵すべき鍵であり、これにより押鍵ガイドが行われる。さらに、その発光表示された数字譜または音名により、押鍵すべき鍵と楽譜との関係を把握できる。
【０００７】
なお、本発明の請求項２の電子鍵盤楽器は、請求項１の構成を備え、半透光性の複数の鍵と、該鍵下に配設され該鍵の裏面に該鍵に対応する数字譜または音名のパターンを投影する投影手段と、を備えたことを特徴とする。この請求項２の電子鍵盤楽器によれば、鍵が半透光性であり、この鍵下に配設された投影手段により、該鍵の裏面に該鍵に対応する数字譜または音名のパターンが投影される。したがって、鍵を透かしてその表面に数字譜または音名のパターンが発光して見える。
【０００８】
また、本発明の請求項３の電子鍵盤楽器は、請求項２の構成を備え、前記投影手段が、前記数字譜または音名のパターンを透過部および遮光部で形成したマスク部と、該マスク部を通して前記鍵の裏面に投光する投光部とを備えることを特徴とする。この請求項３の電子鍵盤楽器によれば、鍵毎に数字譜または音名が異なっているが、これらの数字譜または音名はマスク部で形成されるので、鍵自体に特殊な加工を必要としない。
【０００９】
また、本発明の請求項４の電子鍵盤楽器は、請求項３の構成を備え、前記複数の鍵にそれぞれ対応する前記各マスク部が、鍵の並び方向に移動可能に配設されていることを特徴とする。この請求項４の電子鍵盤楽器によれば、どんな調にも対応できる。
【００１２】
なお、鍵の裏面に該鍵に対応する数字譜または音名のレリーフパターンを形成するようにしてもよい。このレリーフパターンは、数字譜または音名が凸部または凹部のいずれとして形成されていてもよく、前記照明手段で照明光を照射して鍵の表面から見たとき、凸部として形成されている場合は周囲より厚みが厚いので数字譜または音名が暗くなりその周囲が明るく見える。また、凹部として形成されている場合は周囲より厚みが薄いので、数字譜または音名が周囲より明るく見える。
【００１３】
【発明の実施の形態】
以下、本発明の実施の形態について図面を参照して説明する。本発明は押鍵ガイドのための表示の形態とそのための構成に特徴を有するものであるが、先ず図１１の要部ブロック図に基づいて後述説明する第１実施例〜第３実施例の電子鍵盤楽器の動作について簡単に説明する。
【００１４】
ＣＰＵ１０はＲＯＭ２０に格納されている制御プログラムに基づいてＲＡＭ３０のワーキングエリアを使用して電子楽器全体の制御を行う。具体的には、後述説明する白鍵１と黒鍵２を備えた鍵盤４０からキーコード、キーオン信号等を取り込んで鍵盤演奏の制御を行う。また、フロッピィディスクドライバ（ＦＤ）５０を介してフロッピィディスクから演奏データを入力してＲＡＭ３０に記憶し、このＲＡＭ３０に記憶した演奏データに基づいて、鍵盤４０に配設されたＬＥＤ群６０による押鍵ガイドを行う。
【００１５】
すなわち、後述説明するようにＬＥＤ群６０のＬＥＤは鍵盤４０の鍵に対応して配置されており、ＣＰＵ１０はタイマ７０のテンポクロックに基づいてＲＡＭ３０の演奏データ中の音符データを読み出し、ＬＥＤ駆動回路６０ａを介してＬＥＤ群６０の点灯と消灯の切換え制御を行う。そして、音符データに基づいて押鍵すべき鍵に対応するＬＥＤを点灯し、その鍵に対応する数字譜（または音名）を順次発光表示する。なお、音源回路８０はＣＰＵ１０から供給されるキーコード等に基づいて楽音信号を発生し、サウンドシステム（ＳＳ）９０は音源回路８０の楽音信号をアナログ信号に変換して楽音を発生する。
【００１６】
図１は本発明の第１実施例の電子鍵盤楽器の鍵盤装置の一部断面斜視図（斜投象図）であり、白鍵１および黒鍵２はそれぞれ図の左手側において図示しない支持部に揺動自在に支持されている。白鍵１および黒鍵２の下には上フレーム３ａおよび下フレーム３ｂが配設されており、上フレーム３ａは、白鍵１の先端部（演奏者側）に対応する部分と黒鍵２の先端部に対応する部分が立ち上げられ、これにより鍵の並び方向に延びる光源ケース３１を形成している。
【００１７】
光源ケース３１の上面には白鍵１の先端部直下と黒鍵２の先端部直下にそれぞれ位置する中空箱状のマスク部４が形成されており、このマスク部４の上面には、その直上の白鍵１または黒鍵２に対応する数字譜（数字および＃マーク）をかたどった文字パターンスリット４ａが形成されている。なお、この文字パターンスリット４ａが請求項３における透過部の一例であり、その周囲が遮光部の一例である。
【００１８】
また、光源ケース３１の内部には、鍵の並び方向に延びる基板５１が配設されており、この基板５１には各マスク部４に対応する位置にＬＥＤ５がそれぞれ配設されている。各ＬＥＤ５は基板５１上に形成された共通ラインとそのＬＥＤ固有の固有ラインとに接続されており、各ＬＥＤ５はそれぞれ独立に点灯および消灯が可能になっている。そして、各ＬＥＤ５は前述のＬＥＤ群６０を構成している。なお、各ＬＥＤ５は請求項３における投光部の一例であるが、ＬＥＤに代えてランプ等でもよい。
【００１９】
図２は白鍵１および黒鍵２の裏面平面図および断面図である。白鍵１は白色の光半透過性樹脂で形成されており、図２(A) ，(B) に示すように、演奏者側となる少なくとも上面先端部１１が肉薄になっている。また、黒鍵２は黒色の光半透過性樹脂で形成されており、図２(C) ，(D) に示すように、少なくとも上面先端部２１が肉薄になっている。
【００２０】
以上の構成により、ＬＥＤ５が点灯されるとこのＬＥＤ５の放射光のうちマスク部４の文字パターンスリット４ａを透過した光が白鍵１および黒鍵２の上面先端部１１，２１の裏面にそれぞれ照射される。そして、白鍵１および黒鍵２はそれぞれ光半透過性を有しているので、文字パターンスリット４ａを透過した光により、白鍵１の上面先端部１１および黒鍵２の上面先端部２１に対応するマスク部４の文字パターンスリット４ａのシルエット像Ｐ１，Ｐ２（図１）が形成される。すなわち、白鍵１および黒鍵２の先端部に、各鍵に対応する数字譜が光って表示される。
【００２１】
図１では、数字譜「１」，「１♯」，「２」に対応する白鍵１、黒鍵２、およびこれらに対応するマスク部４等について示してあるが、他の鍵についても同様の構造になっている。そして、例えば図３に示したように、各白鍵１に対してシルエット像Ｐ１により数字譜（「１」，「２」，「３」，「４」，「５」，「６」，「７」）が発光表示され、各黒鍵２に対してはシルエット像Ｐ２により数字譜（「１♯」，「２♯」，「４♯」，「５♯」，「６♯」）が発光表示される。なお、図３は「Ｃ音」から「Ｂ音」の音域について示してあるが、他の音域についても同様に対応する鍵の数字譜が表示される。
【００２２】
図４は第２実施例の電子鍵盤楽器の鍵盤装置の一部断面斜視図（斜投象図）である。この第２実施例において第１実施例と異なるところは、白鍵１′、黒鍵２′および遮光枠４′であり、第１実施例（図１）と同様の要素には同じ符号を付記してその詳細な説明は省略する。光源ケース３１の上面には白鍵１′および黒鍵２′の先端部直下に位置し上端に矩形の開口部４ａ′を有する矩形状筒型の遮光枠４′がそれぞれ形成されている。
【００２３】
図５は白鍵１′および黒鍵２′の裏面平面図および断面図である。白鍵１′は白色の光半透過性樹脂で形成されており、図５(A) ，(B) に示すように、上面先端部１１′の裏面にその白鍵１′に対応する数字譜のレリーフパターン１ａ′が形成されている。また、黒鍵２は黒色の光半透過性樹脂で形成されており、図５(C) ，(D) に示すように、上面先端部２１′の裏面にその黒鍵２′に対応する数字譜のレリーフパターン２ａ′が形成されている。このレリーフパターン１ａ′，２ａ′は数字譜を左右反転した形で、突條によってその周囲より盛り上がった形に形成されている。なお、このようなレリーフパターン１ａ′，２ａ′は、白鍵１′および黒鍵２′を型成形するときの金型に数字譜を彫り込んでおくだけで簡単に形成することができる。
【００２４】
以上の構成により、ＬＥＤ５が点灯されるとこのＬＥＤ５の放射光のうち遮光枠４′の矩形の開口部４ａ′を透過する光だけが白鍵１′および黒鍵２′の上面先端部１１′，２１′の裏面にそれぞれ照射され、この上面先端部１１′，２１′に矩形のスポットが形成される。一方、この上面先端部１１′，２１′に形成されたレリーフパターン１ａ′，２ａ′の部分はその周囲よりも厚みがあるので、この厚みがある分だけ周囲よりも光の透過量が少なくなる。したがって、白鍵１′および黒鍵２′の先端部には、各鍵に対応する数字譜が矩形のスポット中に黒っぽいシルエット像Ｐ１′，Ｐ２′となって表示される。なお、ＬＥＤの代わりにランプ等を用いてもよい。
【００２５】
上記第２実施例では、レリーフパターン１′，２′が突條によってその周囲より盛り上がった形に形成された場合について説明したが、レリーフパターンとしては白鍵および黒鍵の上面先端部（裏面）に数字譜の左右反転した形で、溝によりその周囲よりも彫り込まれた形に形成してもよい。この場合には、その数字譜に対応する部分の厚みがその周囲よりも薄いので、白鍵１′および黒鍵２′の先端部には、各鍵に対応する数字譜が矩形のスポット中にさらに明るいシルエット像となって表示される。
【００２６】
図６は第３実施例の電子鍵盤楽器の外観平面図、図７は同電子鍵盤楽器の鍵盤装置の一部断面斜視図である。この実施例は鍵に表示する音名をシフトできるようにしたものであり、例えば特定の調の曲を任意の調に移調したときの音名を知るのに適している。白鍵１および黒鍵２は本体内部のフレーム１００の端部によって揺動自在に支持され、この白鍵１および黒鍵２の下部には鍵の並び方向に横長の光源ケース６が配設されている。また、光源ケース６にはスライド板７が図の矢印方向に摺動自在に装着されている。
【００２７】
図８は光源ケース６およびスライド板７の一部破断斜視図および断面図、図９はスライド板７の一部破断斜視図である。光源ケース６は合成樹脂により一体成形された全鍵域にわたる長手のケースであり、長手方向に沿う両側に断面Ｌ字型の垂直フレーム６１を有している。この垂直フレーム６１の上辺には内側に突出した多数の爪６１ａが形成されている。また、垂直フレーム６１の間には、爪６１ａと所定の間隔をあけて水平フレーム６２が形成されており、この水平フレーム６２には、黒鍵２の先端部の位置（図６の光源ケース６の位置）で白鍵１および黒鍵２の直下となるような矩形の開口窓６２ａが各鍵に対応して等間隔に形成されている。なお、この光源ケース６は上下に分離する金型で成形されており、水平フレーム６２の両側には爪６１ａに対応するアンダカット回避用孔６２ｂが形成されている。
【００２８】
また、光源ケース６の中には、基板８１が配設されており、この基板８１には水平フレーム６２の開口窓６２ａに対応する位置にＬＥＤ８がそれぞれ配設されている。各ＬＥＤ８は前述のＬＥＤ群６０を構成しており、各ＬＥＤ８は前記実施例同様にそれぞれ独立に点灯および消灯が可能になっている。
【００２９】
スライド板７は縦長の板であり、このスライド板７には光源ケース６の水平フレーム６１に形成された開口窓６２ａと整合する開口窓７１が開口窓６２ａと等間隔で多数形成されている。また、このスライド板７の開口窓７１の部分には透明樹脂で形成されたマスク板７２が張り付けられており、このマスク板７２には開口窓７１の各々に対応する位置に、連続する音名（Ｇ，Ｇ♯，Ａ，Ａ♯，Ｂ，Ｃ，Ｃ♯，…）が不透明なインクで印刷されている。
【００３０】
このスライド板７は光源ケース６の水平フレーム６２と爪６１ａとの間に挿入され、開口窓７１が水平フレーム６２の開口窓６２ａと一致する位置に配置される。また、スライド板７の端部に取り付けられた把手７３によりスライド板７を光源ケース６に対して手動で摺動可能となっている。なお、スライド板７と光源ケース６は、一体にした状態で白鍵１および黒鍵２の下に組み込まれるが、把手７３は、本体パネル面に形成された長孔９（図６）を介して後から取り付けられたものである。
【００３１】
以上の構成により、ＬＥＤ８が点灯されるとこのＬＥＤ８の放射光は光源ケース６の水平フレーム６２に形成された開口窓６２ａおよびスライド板７に形成された開口窓７１を透過し、さらにマスク板７２の透明な部分を透過して白鍵１の上面中央部１１（図７）または黒鍵２の上面先端部２１（図７）の裏面にそれぞれ照射される。したがって、マスク板７２に印刷された音名の黒いシルエット像が白鍵１の上面中央部１１および黒鍵２の上面先端部２１に形成される。なお、マスク板７２に印刷される音名は、文字の部分が透明でその周囲が不透明なインクの部分となる白抜きで印刷してもよい。この場合には音名が明るいシルエット像となって表示される。
【００３２】
ここで、スライド板７のマスク板７２に印刷された音名の個数とこれに対応する開口窓７１の個数は同じであるが、この音名および開口窓７１の個数は光源ケース６の開口窓６２ａの個数よりも１１個（１オクターブの音名数−１）だけ多くなっている。すなわち、鍵盤の鍵域に通常対応している音名に加えて低音域側に５半音の音名が付加され、高音域側に６半音の音名が付加されている。
【００３３】
図１０は鍵盤とマスク板７２の音名の関係の一例を示す図である。図示のように、鍵盤の鍵域の最低音の鍵が「Ｃ音」の鍵、最高音の鍵が「Ｂ音」の鍵であるとすると、鍵域に通常対応している音名は「Ｃ」〜「Ｂ」である。この「Ｃ」より低音域側に「Ｇ」〜「Ｂ」の５つの音名が付加され、「Ｂ」より高音域側に「Ｃ」〜「Ｆ」の６つの音名が付加され、マスク板７２には「Ｇ」〜「Ｆ」の音名が印刷されている。
【００３４】
したがって、マスク板７２の低音側から６番目の音名「Ｃ」を鍵盤の最低音の「Ｃ音」の鍵に合わせておくと、鍵域に通常対応する音名が図示のように表示されるが、スライド板７を移動することにより、鍵盤の全鍵域に対して、全ての調の音階に対応する音名を表示することができる。なお、このように全ての調に対応する表示を行うようにするには、鍵盤の鍵数に関わりなく、実際の鍵域の外側の低音域側と高音域側で合計１１の音名を付加すればよい。また、把手７３が配置される本体パネル面の長孔９に沿って半音毎に目盛等を付けたり、スライド板を半音移動する毎にクリックが得られるような構成にすることで、スライド板７を移動するときの位置決めを容易にすることができる。
【００３５】
上記のように全ての調に対応する音名を表示できるので、特定の調の曲を任意の調に移調したときの音名を知ることができる。例えば、スライド板７を左側に２半音分（１音分）移動しておき、Ｃ調の曲データを再生して「ド」→「ミ」→「ソ」の音符が再生されると、Ｃ鍵に「Ｄ」、Ｅ鍵に「Ｆ♯」、Ｇ鍵に「Ａ」の音名が表示されるので、演奏者はＣ調の運指で演奏しながら、Ｄ調に移調したときの音名を知ることができる。
【００３６】
また、所定の調の運指（例えば演奏になれた運指）で演奏しながら別の調で発音できるようにするために、電子楽器には鍵にアサインする音高を半音単位でシフトできるものがある。このように音高をシフトした場合スライド板７を移動して音名の表示もシフトするようにすれば、所定の調の運指で演奏しながら、移調された演奏の実際に発音されている音の音名（絶対音）を知ることができる。
【００３７】
以上の各実施例において、数字譜または音名の何れを表示してもよい。また、音名は日本語（ハ、ニ、ホ、ヘ、…）、ドイツ語（Ｃ、Ｄ、Ｅ、…Ａ、Ｈ）、英語（Ｃ、Ｄ、Ｅ、…Ａ、Ｂ）、イタリア語のカタカナ（ド、レ、ミ…）など、何れの記号を用いてもよい。
【００３８】
また、第１実施例においては、文字パターンスリット４ａが形成されたマスク部４を用いているが、このマスク部４に代えて、透明板に数字譜または音名を印刷したものを例えば第２実施例の遮光枠４′の開口部４ａ′に取り付けたようなものを用いてもよい。
【００３９】
【発明の効果】
以上説明したように本発明の電子鍵盤楽器によれば、音符データに基づいて鍵盤の押鍵すべき鍵を指示するようにした電子鍵盤楽器において、前記鍵盤の鍵上に該鍵に対応する数字譜または音名を発光表示することにより前記押鍵すべき鍵を指示するようにしたことを特徴とする鍵盤の鍵上に該鍵に対応する数字譜または音名を発光表示するようにしたので、鍵盤の鍵と楽譜との関係が把握しやすくなり、鍵盤演奏時により弾き易く、学習効果を高めることができる。
【図面の簡単な説明】
【図１】本発明の第１実施例の電子鍵盤楽器の鍵盤装置の一部断面斜視図である。
【図２】第１実施例における白鍵および黒鍵の裏面平面図および断面図である。
【図３】第１実施例における表示例を示す図である。
【図４】第２実施例の電子鍵盤楽器の鍵盤装置の一部断面斜視図である。
【図５】第２実施例における白鍵および黒鍵の裏面平面図および断面図である。
【図６】第３実施例の電子鍵盤楽器の外観平面図である。
【図７】同電子鍵盤楽器の鍵盤装置の一部断面斜視図である。
【図８】第３実施例における光源ケースおよびスライド板の一部破断斜視図および断面図である。
【図９】第３実施例におけるスライド板の一部破断斜視図である。
【図１０】第３実施例に係る鍵盤とマスク板の音名の関係の一例を示す図である。
【図１１】本発明の実施例の電子鍵盤楽器の要部ブロック図である。
【符号の説明】
１…白鍵、２…黒鍵、５，８…ＬＥＤ、４…マスク部、４ａ…文字パターンスリット、１ａ′，２ａ′…レリーフパターン、６…光源ケース、７…スライド板、７２…マスク板。
【図１】
0003777743.tif 000002
【図２】
0003777743.tif 000003
【図３】
0003777743.tif 000004
【図４】
0003777743.tif 000005
【図５】
0003777743.tif 000006
【図６】
0003777743.tif 000007
【図７】
0003777743.tif 000008
【図８】
0003777743.tif 000009
【図９】
0003777743.tif 000010
【図１０】
0003777743.tif 000011
【図１１】
0003777743.tif 000012